【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
撮像装置であって、
前記撮像装置の動きを検出する動き検出手段と、
画像から被写体を検出する被写体検出手段と、
ズーム動作を制御するためのモードとして、第１のモードと第２のモードのそれぞれを有効にするか否かを設定するための設定手段と、
前記設定手段を介して有効に設定された前記モードに基づいて、
ズーム動作を制御する制御手段とを有し、
前記第１のモードにおいて、前記制御手段は、前記被写体検出手段により検出された被写体の位置および大きさの少なくとも一方に基づいてズーム動作を制御し、
前記第２のモードにおいて、前記制御手段は、前記撮像装置の動き量が所定量よりも大きい第１の量の場合、広角側へズーム位置を移動する第１のズーム動作を行い、前記第１のズーム動作を実行した後で検出された前記撮像装置の動き量が前記所定量よりも小さい第２の量の場合、望遠側へズーム位置を移動する第２のズーム動作を行うよう制御することを特徴とする撮像装置。
【請求項２】
前記動き検出手段は、角速度を検出する角速度検出手段を備え、
前記制御手段は、前記角速度検出手段により検出された角速度に基づいて、前記撮像装置の動き量を判定することを特徴とする請求項１に記載の撮像装置。
【請求項３】
前記制御手段は、前記角速度検出手段により検出された角速度が所定角速度よりも大きくなった場合に、該角速度を積分することで動作角度を算出するとともに、前記撮像装置の画角を算出し、前記動作角度と前記画角とに基づいて、前記撮像装置の動き量を判定することを特徴とする請求項２に記載の撮像装置。
【請求項４】
前記制御手段は、前記動作角度が前記画角の所定倍よりも大きい場合、前記撮像装置の動き量が前記所定量よりも大きいと判定することを特徴とする請求項３に記載の撮像装置。
【請求項５】
前記所定角速度および前記所定倍の設定値の少なくとも一方は、前記撮像装置の撮影モードや記録状態に応じて変更されることを特徴とする請求項４に記載の撮像装置。
【請求項６】
前記制御手段は、前記第１のズーム動作において、第１のズーム位置を設定するとともに当該第１のズーム位置より広角側へズーム位置を移動するよう制御し、当該第１のズーム動作の後で前記第２のズーム動作を行うズーム位置を望遠側へ移動する際に、設定した当該第１のズーム位置へズーム位置を移動するよう制御することを特徴とする請求項１乃至５のいずれか１項に記載の撮像装置。
【請求項７】
前記制御手段は、前記第２のズーム動作を行ってから次の前記第１のズーム動作を行うまでの時間に応じて、次の前記第１のズーム動作における前記第１のズーム位置を変更することを特徴とする請求項６に記載の撮像装置。
【請求項８】
前記制御手段は、前記第２のズーム動作を行ってから次の前記第１のズーム動作を行うまでの時間が第１の時間の場合、当該第１の時間より長い第２の時間の場合と比較して、次の前記第１のズーム動作における前記第１のズーム位置をより広角側に設定することを特徴とする請求項７に記載の撮像装置。
【請求項９】
前記制御手段は、前記第１のモードと、前記第２のモードとを、前記被写体検出手段による被写体の検出状況に応じて切り替えることを特徴とする請求項１乃至８のいずれか１項に記載の撮像装置。
【請求項１０】
前記被写体検出手段により被写体が検出されなかった場合、前記制御手段は、前記第２のモードでズーム動作を制御することを特徴とする請求項９に記載の撮像装置。
【請求項１１】
ユーザにより操作部を介して第１の操作が行われた場合、前記制御手段は、前記第１のモードまたは前記第２のモードによるズーム動作の制御を開始することを特徴とする請求項９又は１０に記載の撮像装置。
【請求項１２】
前記第１のモードおよび前記第２のモードにおいて、ユーザにより第２の操作が行われている間、前記制御手段は、ズーム動作を一時的に停止するよう制御することを特徴とする請求項１１に記載の撮像装置。
【請求項１３】
前記第２の操作は、静止画撮影の準備を指示する操作であることを特徴とする請求項１２に記載の撮像装置。
【請求項１４】
前記第１のモードおよび前記第２のモードにおいて、ユーザにより第３の操作が行われた場合、前記制御手段は、望遠側へのズーム動作を制限するよう制御することを特徴とする請求項１１乃至１３のいずれか１項に記載の撮像装置。
【請求項１５】
前記第３の操作は、静止画撮影、動画記録開始、動画記録終了、マニュアルズームを指示する操作のうち、少なくとも一つを含むことを特徴とする請求項１４に記載の撮像装置。
【請求項１６】
前記第２のモードにおいて、前記被写体検出手段により被写体が検出された場合、前記制御手段は、前記第１のモードに切り替えることを特徴とする請求項９乃至１５のいずれか１項に記載の撮像装置。
【請求項１７】
前記制御手段は、ユーザにより所定の操作が行われてから所定時間が経過するまで、前記第２のモードの実行を制限することを特徴とする請求項９乃至１６のいずれか１項に記載の撮像装置。
【請求項１８】
前記所定の操作は、静止画撮影、動画記録開始、動画記録終了、マニュアルズーム、前記第１のモードまたは前記第２のモードによるズーム動作制御の開始を指示する操作のうち、少なくとも一つを含むことを特徴とする請求項１７に記載の撮像装置。
【請求項１９】
画像を表示する表示手段をさらに有し、
前記被写体検出手段により被写体が検出されている場合、前記表示手段において、検出された被写体を示す表示を行うことを特徴とする請求項１乃至１８のいずれか１項に記載の撮像装置。
【請求項２０】
撮像装置であって、
前記撮像装置の動きを検出する動き検出手段と、
ズーム動作を制御する制御手段とを有し、
前記制御手段は、前記撮像装置の動き量が所定量よりも大きい第１の量の場合、第１のズーム位置を設定するとともに当該第１のズーム位置より広角側へズーム位置を移動する第１のズーム動作を行い、前記第１のズーム動作を実行した後で検出された前記撮像装置の動き量が前記所定量よりも小さい第２の量の場合、設定した当該第１のズーム位置へズーム位置を移動する第２のズーム動作を行うよう制御し、
前記制御手段は、前記第２のズーム動作が行われてから次の前記第１のズーム動作が行われるまでの時間に応じて、次の前記第１のズーム動作における前記第１のズーム位置を変更することを特徴とする撮像装置。
【請求項２１】
撮像装置の制御方法であって、
前記撮像装置の動きを検出するステップと、
画像から被写体を検出するステップと、
ズーム動作を制御するためのモードとして、第１のモードと第２のモードのそれぞれを有効にするか否かを設定するための操作を受け付けるステップと、
有効に設定された前記モードに基づいて、ズーム動作を制御する制御ステップとを有し、
前記制御ステップにおいて、前記第２のモードが有効なとき、前記撮像装置の動き量が所定量よりも大きい第１の量の場合、広角側へズーム位置を移動する第１のズーム動作が行われ、前記第１のズーム動作を実行した後で検出された前記撮像装置の動き量が前記所定量よりも小さい第２の量の場合、望遠側へズーム位置を移動する第２のズーム動作が行われるよう制御することを特徴とする撮像装置の制御方法。
【請求項２２】
請求項２１に記載の撮像装置の制御方法をコンピュータに実行させるように構成されていることを特徴とする撮像装置の制御プログラム。
【請求項２３】
撮像装置の制御方法であって、
前記撮像装置の動きを検出するステップと、
ズーム動作を制御する制御ステップとを有し、
前記制御ステップにおいて、前記撮像装置の動き量が所定量よりも大きい第１の量の場合、第１のズーム位置が設定されるとともに当該第１のズーム位置より広角側へズーム位置を移動する第１のズーム動作が行われ、前記第１のズーム動作が実行された後で検出された前記撮像装置の動き量が前記所定量よりも小さい第２の量の場合、設定された当該第１のズーム位置へズーム位置を移動する第２のズーム動作が行われ、前記第２のズーム動作が行われてから次の前記第１のズーム動作が行われるまでの時間に応じて、次の前記第１のズーム動作における前記第１のズーム位置が変更されることを特徴とする撮像装置の制御方法。
【請求項２４】
請求項２３に記載の撮像装置の制御方法をコンピュータに実行させるように構成されていることを特徴とする撮像装置の制御プログラム。
【手続補正２】
【補正対象書類名】明細書
【補正対象項目名】発明の名称
【補正方法】変更
【補正の内容】
【発明の名称】撮像装置、撮像装置の制御方法、及び撮像装置の制御プログラム
【手続補正３】
【補正対象書類名】明細書
【補正対象項目名】０００８
【補正方法】変更
【補正の内容】
【０００８】
上記目的を達成するために、本発明の一側面は、撮像装置であって、前記撮像装置の動きを検出する動き検出手段と、画像から被写体を検出する被写体検出手段と、ズーム動作を制御するためのモードとして、第１のモードと第２のモードのそれぞれを有効にするか否かを設定するための設定手段と、前記設定手段を介して有効に設定された前記モードに基づいて、ズーム動作を制御する制御手段とを有し、前記第１のモードにおいて、前記制御手段は、前記被写体検出手段により検出された被写体の位置および大きさの少なくとも一方に基づいてズーム動作を制御し、前記第２のモードにおいて、前記制御手段は、前記撮像装置の動き量が所定量よりも大きい第１の量の場合、広角側へズーム位置を移動する第１のズーム動作を行い、前記第１のズーム動作を実行した後で検出された前記撮像装置の動き量が前記所定量よりも小さい第２の量の場合、望遠側へズーム位置を移動する第２のズーム動作を行うよう制御することを特徴とする。
【手続補正４】
【補正対象書類名】明細書
【補正対象項目名】０００９
【補正方法】変更
【補正の内容】
【０００９】
第２の本発明は、撮像装置の制御方法であって、撮像装置の制御方法であって、前記撮像装置の動きを検出するステップと、画像から被写体を検出するステップと、ズーム動作を制御するためのモードとして、第１のモードと第２のモードのそれぞれを有効にするか否かを設定するための操作を受け付けるステップと、有効に設定された前記モードに基づいて、ズーム動作を制御する制御ステップとを有し、前記制御ステップにおいて、前記第２のモードが有効なとき、前記撮像装置の動き量が所定量よりも大きい第１の量の場合、広角側へズーム位置を移動する第１のズーム動作が行われ、前記第１のズーム動作を実行した後で検出された前記撮像装置の動き量が前記所定量よりも小さい第２の量の場合、望遠側へズーム位置を移動する第２のズーム動作が行われるよう制御することを特徴とする。